【事件の表示】
　特願２００６−２２３９５０「遊技情報収集装置」拒絶査定不服審判事件〔平成２０年　２月２８日出願公開、特開２００８−　４３６３１〕について、次のとおり審決する。
【結　論】
　本件審判の請求は、成り立たない。
【理　由】
第１．手続の経緯等
　本願の手続の経緯概要は以下のとおりである。
　平成１８年　８月２１日　出願
　平成２１年　６月２９日　拒絶理由通知
　平成２１年　８月２５日　手続補正
　平成２１年　９月１４日　拒絶査定
　平成２１年１２月１０日　拒絶査定不服審判請求、手続補正
　平成２２年　５月　７日　審尋
　
第２．平成２１年１２月１０日付けの手続補正についての補正却下の決定
　
［補正却下の決定の結論］
　平成２１年１２月１０日付けの手続補正（以下、「本件補正」という。）を却下する。
［理由］
１．補正内容
　本件補正前後の特許請求の範囲は以下の通りである。
　
（補正前）
「【請求項１】
　図柄を変動表示させる図柄表示手段を具備し当該図柄表示手段で所定の図柄が停止表示されると大当たり状態が発生する遊技機の近傍に別個配設された遊技情報収集装置であって、
　前記遊技機における遊技内容に関する遊技経過情報を継続的に逐次入力し得る遊技内容入力手段と、
　該遊技内容入力手段で入力された遊技経過情報を、大当たり発生回数、図柄の変動表示回数、リーチの発生回数などの回数データ又は当該回数データに関わる履歴データに変換する変換手段と、
　カード形態の携帯用記憶手段を挿入可能とされ、その挿入された携帯用記憶手段に記憶された遊技者を特定し得る識別コードを読み込み可能なカードリーダ又はカードリーダライタと、
　前記変換手段で変換された回数データ又は当該回数データに関わる履歴データ、及び前記カードリーダ又はカードリーダライタで読み込まれた識別コードを外部に出力する出力手段と、
　該出力手段で出力された回数データ又は当該回数データに関わる履歴データを蓄積しつつ識別コードと関連付けして保存可能な外部サーバと、
を具備し、前記カードリーダ又はカードリーダライタから前記携帯用記憶手段が抜き取られたことを条件として、前記外部サーバによる回数データ又は当該回数データに関わる履歴データの蓄積が終了するよう構成され、且つ、前記外部サーバで保存された情報は、遊技者が電気通信回線を介して遊技場の外部からアクセス可能とされたことを特徴とする遊技情報収集装置。
　　【請求項２】
　前記カードリーダ又はカードリーダライタには、挿入された携帯用記憶手段を抜き取るためのイジェクトボタンが形成されるとともに、当該イジェクトボタンの操作を条件として、前記外部サーバによる回数データ又は当該回数データに関わる履歴データの蓄積が終了することを特徴とする請求項１記載の遊技情報収集装置。
　　【請求項３】
　前記カードリーダ又はカードリーダライタに前記携帯用記憶手段が挿入されたことを条件として、当該携帯用記憶手段から読み込まれた識別コードを前記外部サーバに出力するとともに、前記遊技内容入力手段による遊技経過情報の入力を開始することを特徴とする請求項１又は請求項２記載の遊技情報収集装置。
　　【請求項４】
　前記カードリーダ又はカードリーダライタに前記携帯用記憶手段が挿入されると、その読み込まれた識別コードを表示する表示器を具備したことを特徴とする請求項３記載の遊技情報収集装置。
（補正後）
　「【請求項１】
　図柄を変動表示させる図柄表示手段を具備し当該図柄表示手段で所定の図柄が停止表示されると大当たり状態が発生する遊技機の近傍に別個配設された遊技情報収集装置であって、
　前記遊技機における遊技内容に関する遊技経過情報を継続的に逐次入力し得る遊技内容入力手段と、
　該遊技内容入力手段で入力された遊技経過情報を、大当たり発生回数、図柄の変動表示回数、リーチの発生回数などの回数データ又は当該回数データに関わる履歴データに変換する変換手段と、
　カード形態の携帯用記憶手段を挿入可能とされ、その挿入された携帯用記憶手段に記憶された遊技者を特定し得る識別コードを読み込み可能なカードリーダ又はカードリーダライタと、
　前記変換手段で変換された回数データ又は当該回数データに関わる履歴データ、及び前記カードリーダ又はカードリーダライタで読み込まれた識別コードを外部に出力する出力手段と、
　該出力手段で出力された回数データ又は当該回数データに関わる履歴データを蓄積しつつ識別コードと関連付けして保存可能な外部サーバと、
を具備し、前記カードリーダ又はカードリーダライタに前記携帯用記憶手段が挿入されたことを条件として、当該携帯用記憶手段から読み込まれた識別コードを前記外部サーバに出力するとともに、前記遊技内容入力手段による遊技経過情報の入力を開始し、当該カードリーダ又はカードリーダライタから前記携帯用記憶手段が抜き取られたことを条件として、前記外部サーバによる回数データ又は当該回数データに関わる履歴データの蓄積が終了するよう構成され、且つ、前記外部サーバで保存された情報は、遊技者が電気通信回線を介して遊技場の外部からアクセス可能とされたことを特徴とする遊技情報収集装置。
　　【請求項２】
　前記カードリーダ又はカードリーダライタには、挿入された携帯用記憶手段を抜き取るためのイジェクトボタンが形成されるとともに、当該イジェクトボタンの操作を条件として、前記外部サーバによる回数データ又は当該回数データに関わる履歴データの蓄積が終了することを特徴とする請求項１記載の遊技情報収集装置。
　　【請求項３】
　前記カードリーダ又はカードリーダライタに前記携帯用記憶手段が挿入されると、その読み込まれた識別コードを表示する表示器を具備したことを特徴とする請求項１又は請求項２記載の遊技情報収集装置。
　
　本件補正は、（Ａ）補正前請求項１に技術的限定（補正前請求項３の記載と同じ事項）を付し、補正前請求項３を削除したたもの、（Ｂ）補正前請求項１を削除し、補正前請求項１を引用する補正前請求項３を独立形式として補正後の請求項１としたもの、のいずれかと解することができるが、審判請求人は、審判請求書第４頁第１３〜１４行において「同補正は、特許法第１７条の２第４項第２号で規定する限定的減縮補正に適合するため、適法なものである。」としているので、本件補正は上記（Ａ）として扱う。なお、本件補正が（Ａ）（Ｂ）いずれのものとしても、補正後の請求項１に対する特許性の判断を行うことは同じである（特許性のない場合、（Ａ）では補正却下の手続が介在する。）。
　そうすると、本件補正は、補正前請求項１に「前記カードリーダ又はカードリーダライタに前記携帯用記憶手段が挿入されたことを条件として、当該携帯用記憶手段から読み込まれた識別コードを前記外部サーバに出力するとともに、前記遊技内容入力手段による遊技経過情報の入力を開始し、」との構成を追加したものであるが、当該追加は「回数データの蓄積」について限定を付すものと解し、本件補正は平成１８年法律第５５号改正附則３条１項によりなお従前の例によるとされる同法による改正前の特許法１７条の２第４項２号の特許請求の範囲の減縮を目的とするものに該当する。
　そこで、本件補正後の請求項１に係る発明（以下、「本願補正発明」という。）が特許出願の際独立して特許を受けることができるものであるか（上記改正前の特許法１７条の２第５項において準用する同法１２６条５項の規定に適合するか）について以下に検討する。
　
２．引用文献  
　原査定の拒絶の理由に引用された特開２００４−２０１９３５号公報（公開日：平成１６年７月２２日）（以下、「引用文献」という。）には、以下の事項が図面とともに記載されている。
　
【００１２】
【発明の実施の形態】
（実施例）
図１は本実施例における遊技用システムの構成を示す図であり、この遊技用システムは、遊技場において複数配置された遊技島に並設される遊技機としてのカードリーダ式パチンコ機（以下パチンコ機）２に対して１対１に設置される遊技用装置としてのカードユニット３と、遊技場の所定箇所に設置され、会員カードを所有する会員遊技者の情報の管理等を行う管理装置としての会員管理コンピュータ１２０と、から主に構成されている。尚、図１に示す１００は、カードユニット３にて使用される記録媒体としての会員カード並びにビジターカードの記録情報の管理等を行うシステムコントローラ１００であり、図１に示す１１０は、パチンコ機２及びカードユニット３からの出力信号に基づいて売上情報や各種遊技情報、すなわちパチンコ機２の遊技に関連して発生する情報を収集し、遊技場の売上や各遊技機の稼働状況等を詳細に管理するホールコンピュータである。
【００１３】
カードユニット３は、対応するパチンコ機２と直接、及び中継端末４を介して接続されており、カードユニット３と対応するパチンコ機２との間で各種信号の送受が可能とされているとともに、対応するパチンコ機２等から出力された各種遊技情報を示す信号が中継端末４を介して対応するカードユニット３に入力されるようになっている。
【００１４】
また、各カードユニット３は、システムコントローラ１００並びに会員管理コンピュータ１２０とハブ（ＨＵＢ）８’（図４参照）並びに通信ケーブル８を介してデータ通信可能に接続されている。また、各カードユニット３は、ハブ８’並びに通信ケーブル８、ルータ５を介してインターネット（コンピュータネットワーク）に接続されており、インターネットを介して後述するコンテンツサーバ（図１３参照）との間でデータの送受が可能とされている。また、システムコントローラ１００は、通信回線網１１を介して図示しないカード管理会社に設置された管理サーバとデータ通信可能に接続されている。　　　
【００１７】
まず、本発明の記録媒体としての会員カードについて説明すると、この会員カードには、カードユニット３内に設けられている後述のカードリーダライタ３２７と非接触にてデータ通信を行うことが可能な非接触式ＩＣカードが適用されており、その内部メモリには、各会員カードを個別に識別可能なカードＩＤや遊技者特定情報としての会員ＩＤ、カードユニット３とシステムコントローラ１００との通信がオフライン状態の場合に使用されるセキュリティー情報等が書き換え不可に記録されているとともに、カードリーダライタ３２７とのデータ通信により、パチンコ玉の貸出に使用される度数等の情報が書き換え可能に記録される。　
【００１９】
次いで、本実施例の遊技用装置であるカードユニット３について説明すると、このカードユニット３は、前述のように遊技島に並設される遊技機としてのパチンコ機２に１対１に対応して設置される。
【００２６】
カードユニット３の前面に設けられた会員カード挿入口３０９とビジターカード装着口３１０とは、遊技者から見て左右方向に並設配置されている。会員カード挿入口３０９は、内蔵されるカードリーダライタ３２７（図４参照）の会員カードスロット（図示略）に連設されており、この会員カード挿入口３０９を介して会員カードを会員カードスロットに挿入可能とされている。　
【００３３】
図４は、カードユニット３の構成を示すブロック図である。カードユニット３は、読み出し手段としてのカードリーダライタ３２７と、表示コントローラ３２９と、制御ユニット３２８と、から主に構成されており、カードリーダライタ３２７及び表示コントローラ３２９は、制御ユニット３２８と接続され、各種データの送受が可能とされている。
【００３４】
カードリーダライタ３２７は、前述した会員カードやビジターカードの記録情報の読み出し並びに書き込みを行うとともに、ＨＵＢ８’を介してシステムコントローラ１００とデータ通信可能に接続されており、挿入された会員カードに記録されたカードＩＤの認証や度数の確認等をシステムコントローラ１００との間で行う。
【００４１】
また、制御ユニット３２８には、特に図示しないが、接続されたパチンコ機２に設けられ、パチンコ玉の貸出に使用できる度数（遊技用有価価値）を表示する度数表示器や、パチンコ玉の貸出を行う際に操作される貸出ボタンの操作を検知する貸出スイッチ、受付け中の会員カードを返却させる際に操作される返却ボタンの操作を検知する返却スイッチが接続されている。
【００４８】
また、制御ユニット３２８は、中継端末４と接続されており、対応するパチンコ機２や、当該パチンコ機２に対して供給されたパチンコ玉を検出する供給玉検出スイッチ６、当該パチンコ機２から回収されたパチンコ玉を検出するアウト玉検出スイッチ７から出力された各種遊技情報、すなわちパチンコ機２の遊技に関連して発生する情報を示す信号が中継端末４を介して入力されるようになっている。
【００４９】
具体的には、図５に示すように、パチンコ機２に対して供給されたパチンコ玉数を示す供給信号が供給玉検出スイッチ６から出力され、大当り中である旨を示す大当り中信号、確率変動中である旨を示す確変中信号、始動入賞した旨を示す始動信号がパチンコ機２から出力され、パチンコ機２から回収されたパチンコ玉数を示す打込信号がアウト玉検出スイッチ７から出力されるようになっており、これら出力された信号、すなわちホールコンピュータ１１０にて各パチンコ機２の遊技データとして収集される信号が分岐され、中継端末４を介してカードユニット３に入力されるようになっている。
【００５４】
また、本実施例では、制御ユニット３２８に、対応するパチンコ機２の遊技情報を記憶する遊技データカウンタと、会員遊技者が対応するパチンコ機２において遊技を行っている間の遊技情報を記憶する遊技履歴カウンタと、が設けられている。
【００５７】
遊技履歴カウンタには、図６に示すように、対応するパチンコ機２の総始動回数、大当り回数、確変回数、供給玉数、打込玉数からなる遊技データが記憶されており、これら各項目の値は、前述した大当り中信号、確変中信号、始動信号、供給信号、打込信号の受信に応じて逐次最新のデータに更新されるようになっている。具体的には、始動信号を受信する毎に総始動回数が１ずつ加算される。また、大当り中信号を受信する毎に大当り回数が１ずつ加算され、確変中信号を受信することで確変回数が１ずつ加算される。また、供給信号を受信する毎に供給玉数が１ずつ加算され、打込信号を受信する毎に打込玉数が１ずつ加算される。
【００５８】
また、遊技履歴カウンタは、会員カードが返却された際にリセットされ、次回会員カードが受付けられることでリセットされた状態から各データが計数されることとなるため、遊技履歴カウンタには、会員カードが受付けられてから返却されるまで、すなわち会員遊技者が遊技を開始してから遊技を終了するまでの対応するパチンコ機２の遊技データが記憶されることとなる。
【００５９】
次いで、本実施例における管理装置としての会員管理コンピュータ１２０について説明すると、会員管理コンピュータ１２０は、図７に示すように、コンピュータ内部にてデータの送受を行うデータバス１２１に、この会員管理コンピュータ１２０が実施する各種処理や後述する各種データベース（ＤＢ）の更新処理等を行うＣＰＵ１２２、処理時の一時記憶領域等として使用されるＲＡＭ１２３、磁気ディスクや光磁気ディスクから成る記憶装置１２４、キーボードやマウス等の入力装置１２５、各種情報を表示出力する表示装置１２６、各種情報をプリント出力するプリンタ１２７、カードユニット３とのデータ通信を行う通信部１２８、が接続された通常のコンピュータである。
【００６０】
また、記憶装置１２４には、会員管理コンピュータ１２０の処理を実施するための処理プログラムに加えて、会員カードを所有する遊技者、すなわち会員遊技者に関する会員情報が登録（記憶）される会員情報テーブル（図８（ａ）参照）と、各会員遊技者の遊技履歴が登録（記憶）される会員別履歴テーブル（図８（ｂ）参照）と、から構成される会員管理ＤＢと、遊技場内に設置された全てのパチンコ機２における遊技情報が１日単位で登録（記憶）される複数の遊技情報テーブルから構成される遊技情報ＤＢと、遊技情報を各カードユニット３に配信するための配信プログラムや、前記カードユニット３に設けられているＣＣＤカメラ３３０にて撮像された画像付きの電子メールを送信するための電子メールプログラムが記憶されている。
【００６２】
また、会員別履歴テーブルには、図８（ｂ）に示すように、会員がパチンコ機２に会員カードを挿入してから取り出すまでに実施した遊技を１回の遊技として、過去５回分の遊技履歴が各会員ＩＤ毎に登録されている。具体的には、各会員ＩＤ毎に、来店日、遊技を実施したパチンコ機２の台番号、遊技を実施したパチンコ機２の名称を示す機種名、始動回数、大当回数、確変回数、供給玉数（獲得玉数）、打込玉数、から構成される遊技履歴が、過去５回分にわたり登録されている。
【００６３】
これら会員管理ＤＢを構成する各テーブルは、カードユニット３から送信される各種情報等に基づいて逐次最新のデータに更新されるようになっている。
【００６９】
まず、本実施例のカードユニット３の処理状況について説明すると、カードユニット３は、会員カード挿入口３１９に挿入された会員カードに対して利用の可／不可を判別する受付処理を行う。
【００８３】
尚、本実施例では、返却時点の本日分の遊技情報テーブル（図９参照）の各項目の値から、受付時点の本日分の遊技情報テーブル（図９参照）の各項目の値を減算することにより、会員管理コンピュータ１２０において、会員カードが受付けられてから返却されるまでの遊技情報を算出可能な構成としているが、中継端末４に設けられた会員カード受付時点からの遊技情報を蓄積する遊技履歴カウンタ（図６参照）の値を、会員カードの返却を契機として読み出すことにより、会員管理コンピュータ１２０において、会員カードが受付けられてから返却されるまでの遊技情報を取得可能な構成としても良い。このようにすれば、会員カード返却時点の処理のみで、会員カードが受付けられてから返却されるまでの遊技情報を、会員管理コンピュータ１２０において把握可能となる。
【００７７】
また、本実施例のカードユニット３においては、前述した受付処理の１ステップとして、挿入された会員カードの利用が可であった場合に、該会員カードの会員ＩＤと、制御ユニット３２８に書き込まれたカードユニット３を特定可能なユニットＩＤ（本実施例では台番号と同一）と、を含む受付通知を送信することで、会員ＩＤによって特定される会員遊
技者が遊技を開始した旨を会員管理コンピュータ１２０に通知する受付通知処理を実施する。また、返却処理の１ステップとして、会員ＩＤと、ユニットＩＤと、を含む返却通知を送信することで、会員ＩＤによって特定される会員が遊技を終了した旨を会員管理コンピュータ１２０に通知する返却通知処理を実施する。これにより、受付通知及び返却通知に含まれる会員ＩＤによって特定される会員遊技者が、受付通知及び返却通知に含まれるユニットＩＤによって特定されるパチンコ機２で実施した１回分の遊技の開始と終了を、会員管理コンピュータ１２０において判別することが可能とされているとともに、前記受付通知の受信に基づいて、受信した会員ＩＤを受信したユニットＩＤ（本実施例では台番号と同一）に対応する会員ＩＤの項目に登録する。
【００８３】
尚、本実施例では、返却時点の本日分の遊技情報テーブル（図９参照）の各項目の値から、受付時点の本日分の遊技情報テーブル（図９参照）の各項目の値を減算することにより、会員管理コンピュータ１２０において、会員カードが受付けられてから返却されるまでの遊技情報を算出可能な構成としているが、中継端末４に設けられた会員カード受付時点からの遊技情報を蓄積する遊技履歴カウンタ（図６参照）の値を、会員カードの返却を契機として読み出すことにより、会員管理コンピュータ１２０において、会員カードが受付けられてから返却されるまでの遊技情報を取得可能な構成としても良い。このようにすれば、会員カード返却時点の処理のみで、会員カードが受付けられてから返却されるまでの遊技情報を、会員管理コンピュータ１２０において把握可能となる。
【００８４】
次いで、返却通知により特定される会員ＩＤの１回前の遊技履歴として、算出した遊技情報を、会員別履歴テーブル（図８（ｂ）参照）に登録する。具体的には、会員ＩＤの１〜４回前の会員別遊技情報を、それぞれ２〜５回前の遊技履歴として登録し、また、算出した遊技情報を１回前の遊技履歴として登録する。これにより遊技者が１回分の遊技を終了した契機で、会員別履歴テーブル（図８（ｂ）参照）に登録されている遊技履歴が更新されるようになっている。
【００８６】
尚、本実施例では、カードユニット３に対する会員カードの返却を契機に、会員別履歴テーブル（図８（ｂ）参照）に、遊技履歴を登録しているが、後述する遊技情報ＤＢと同様に、カードユニット３から後述する大当り情報や始動情報等の情報を受信する毎に会員別履歴テーブル（図８（ｂ）参照）の該当するデータを逐次更新するように構成しても良い。
【０１０２】
また、本実施例のカードユニット３では、遊技者により遊技情報の閲覧が要求されることにより指定された遊技情報や遊技履歴を表示部３１２にて閲覧できるようになっている。
【０１３５】
前記実施例における各要素は、本発明に対して以下のように対応している。
本発明の請求項１は、遊技機（パチンコ機２）に対応して設けられ、遊技に関する遊技関連情報を表示するための表示手段（液晶表示器３１３）を少なくとも備える遊技用装置（カードユニット３）と、前記遊技機（パチンコ機２）における遊技に関連して発生した遊技情報を収集するための遊技情報収集手段（カードユニット３、通信部１２８）を備え、前記遊技情報の管理を行う管理装置（会員管理コンピュータ１２０）と、から成る遊技用システムであって、前記管理装置（会員管理コンピュータ１２０）は、前記遊技機（パチンコ機２）の遊技情報が、予め定められた所定の撮像条件を満たしているか否かを判定する撮像条件判定手段（ＣＰＵ１２２）と、該撮像条件判定手段（ＣＰＵ１２２）による判定結果が予め定められた所定の撮像条件を満たしているときに、該遊技機（パチンコ機２）に対応する前記遊技用装置（カードユニット３）に対して撮像指示を示す撮像指示情報を送信する撮像指示送信手段（通信部１２８）と、を備え、前記遊技用装置（カードユニット３）は、前記撮像指示送信手段（通信部１２８）より送信される撮像指示情報の受信に基づいて、該遊技用装置（カードユニット３）に対応する遊技機（パチンコ機２）において遊技中の遊技者を撮像するための撮像手段（ＣＣＤカメラ３３０）と、該撮像手段（ＣＣＤカメラ３３０）にて撮像した画像を前記表示手段（液晶表示器３１３）に表示する制御を行う撮像画像表示制御手段（表示コントローラ３２９）と、前記撮像手段（ＣＣＤカメラ３３０）にて撮像した画像を含む電子メールの送信先アドレスを特定可能な情報を受付けるための送信先受付け手段（タッチパネル３１４、制御ユニット３２８）と、を備え、前記撮像手段（ＣＣＤカメラ３３０）にて撮像した画像を含む電子メールを前記送信
先受付け手段（タッチパネル３１４）にて受付けた情報に基づき特定される送信先アドレスに送信するメール送信手段（通信部３３４、会員管理コンピュータ１２０）を備える。
　
　また、図２には、遊技盤の中央に図柄を変動表示させる図柄表示手段を具備したパチンコ機が図示されている。
　
　そして、段落【００８３】に記載された「中継端末４に設けられた会員カード受付時点からの遊技情報を蓄積する遊技履歴カウンタ（図６参照）の値を、会員カードの返却を契機として読み出すことにより、会員管理コンピュータ１２０において、会員カードが受付けられてから返却されるまでの遊技情報を取得可能な構成としても良い。」との構成及び段落【００８６】に記載された「カードユニット３から後述する大当り情報や始動情報等の情報を受信する毎に会員別履歴テーブル（図８（ｂ）参照）の該当するデータを逐次更新するように構成しても良い。」との構成を採用した場合、以上を含む全記載及び図示によれば、引用文献には次の発明が記載されていると認められる。
　「図柄を変動表示させる図柄表示手段を具備するパチンコ機２を配備した遊技場に設けられる遊技用システムであって、
　パチンコ機２の遊技に関連して発生する情報を示す信号として、大当り中である旨を示す大当り中信号、始動入賞した旨を示す始動信号を制御ユニット３２８に入力し、
　制御ユニット３２８の遊技履歴カウンタは、始動信号を受信する毎に総始動回数を１ずつ加算し、大当り中信号を受信する毎に大当り回数を１ずつ加算し、
　会員カードを挿入可能な会員カードスロット及び会員カードスロットに挿入された会員カードの会員ＩＤ等の記録情報の読み出しが可能なカードリーダライタ３２７を備えたカードユニット３を具備し、
　遊技履歴カウンタで加算が行われた総始動回数、大当り回数は、会員管理コンピュータ１２０に送信され、
　会員管理コンピュータは、カードユニット３から大当り情報や始動情報等の情報を受信する毎に各会員ＩＤ毎に遊技履歴が過去５回分にわたり登録されている会員別履歴テーブルの該当するデータを逐次更新し、
　カードユニット３は、挿入された会員カードが利用可であった場合に、会員ＩＤとユニットＩＤとを含む受付通知を会員管理コンピュータ１２０に通知し、受付中の会員カードの返却時には会員ＩＤとユニットＩＤを含む返却通知を会員管理コンピュータ１２０に通知することにより、会員ＩＤで特定される遊技者のユニットＩＤで特定されるパチンコ機での遊技の開始と終了を会員管理コンピュータ１２０において判別可能とし、
　遊技履歴カウンタは、会員カードが受け付けられることでリセット状態から各データを計数するとともに会員カードが返却された際にリセットされ、
　遊技者により遊技情報の閲覧が要求されることにより指定された遊技履歴を表示部３１２にて閲覧できるようになっており、
　カードユニット３は、ハブ８’並びに通信ケーブル８、ルータ５を介してインターネット（コンピュータネットワーク）に接続されている、
　遊技用システム。」（以下、「引用発明」という。）
　
３．対比
　本願補正発明と引用発明を対比する。
　引用発明について、以下のことがいえる。
（１）「図柄を変動表示させる図柄表示手段を具備するパチンコ機２を配備した遊技場に設けられる遊技用システムであって、」について
　引用発明の「遊技用システム」は、パチンコ機２において遊技者が遊技を行っている間の遊技情報を収集して記憶するものであるから、「遊技情報収集装置」ということができ、また、遊技場内に設置されるものであり、パチンコ機２とは別のものであるから、「近傍に別個配設された」ものということができる。そして、パチンコ機は遊技機の一種である。
　そうすると、引用発明は、本願補正発明の「図柄を変動表示させる図柄表示手段を具備し当該図柄表示手段で所定の図柄が停止表示されると大当たり状態が発生する遊技機の近傍に別個配設された遊技情報収集装置であって、」に相当する構成を実質的に具備している。
（２）「パチンコ機２の遊技に関連して発生する情報を示す信号として、大当り中である旨を示す大当り中信号、始動入賞した旨を示す始動信号を制御ユニット３２８に入力し、」について
　引用発明の「大当り中である旨を示す大当り中信号」、「始動入賞した旨を示す始動信号」は、本願補正発明の「遊技機における遊技内容に関する遊技経過情報」に相当するものであり、「大当たり」、「始動入賞」がある毎に発生する信号であって、その度に入力（継続的に逐次入力）されるものであり、そのための手段は当然具備されるものである。
　そうすると、引用発明は、本願補正発明の「前記遊技機における遊技内容に関する遊技経過情報を継続的に逐次入力し得る遊技内容入力手段」に相当する構成を実質的に具備している。
（３）「制御ユニット３２８の遊技履歴カウンタは、始動信号を受信する毎に総始動回数を１ずつ加算し、大当り中信号を受信する毎に大当り回数を１ずつ加算し、」について
　引用発明では、「大当たり」、「始動入賞」がある毎に発生する信号である「大当たり中信号」、「始動信号」を受け、遊技履歴カウンタは「大当り回数」、「始動回数」を１ずつ加算するが、これは「遊技経過情報」を「回数データ」に変換するものということができ、遊技履歴カウンタは「変換手段」としての機能を有するものである。ここで、「始動回数」と「図柄の変動表示回数」は、「回数」として均等であることは常識である。
　そうすると、引用発明は、本願補正発明の「該遊技内容入力手段で入力された遊技経過情報を、大当たり発生回数、図柄の変動表示回数などの回数データに変換する変換手段」
に相当する構成を実質的に具備するものである。
（４）「会員カードを挿入可能な会員カードスロット及び会員カードスロットに挿入された会員カードの会員ＩＤ等の記録情報の読み出しが可能なカードリーダライタ３２７を備えたカードユニット３を具備し、」について
　引用発明の「会員カード」、は「カード形態の携帯用記憶手段」ということができ、当該「会員カード」に記憶された「会員ＩＤ」は「遊技者を特定し得る識別コード」ということができ、更に「カードユニット３」は、カードが挿入可能でカードの会員ＩＤを読み取り可能であるから、本願補正発明の「カードリーダ又はカードリーダライタ」に相当する。
　そうすると、引用発明は、本願補正発明の「カード形態の携帯用記憶手段を挿入可能とされ、その挿入された携帯用記憶手段に記憶された遊技者を特定し得る識別コードを読み込み可能なカードリーダ又はカードリーダライタ」に相当する構成を実質的に具備するものである。
（５）「遊技履歴カウンタで加算が行われた総始動回数、大当り回数は、会員管理コンピュータ１２０に送信され、会員管理コンピュータは、カードユニット３から大当り情報や始動情報等の情報を受信する毎に各会員ＩＤ毎に遊技履歴が過去５回分にわたり登録されている会員別履歴テーブルの該当するデータを逐次更新し」について　
　会員管理コンピュータ１２０は、その機能をみると、本願補正発明の「外部サーバ」に相当し、その会員別履歴テーブルは各会員ＩＤ毎に遊技履歴を登録するものであるから、「会員管理コンピュータ１２０」は、「回数データを蓄積しつつ識別コードと関連付けして保存可能な」ものといえる。
　また、「総始動回数」及び「大当り回数」のデータを各会員ＩＤ毎に登録されている会員別履歴テーブルに送信するに際しては、データとともに会員ＩＤを送信することは当然行うことであり、「外部サーバ」に相当する「会員管理コンピュータ１２０に送信する」以上、データを「外部に出力する」ものといえる。
　そうすると、引用発明は、本願補正発明の「前記変換手段で変換された回数データ及び前記カードリーダ又はカードリーダライタで読み込まれた識別コードを外部に出力する出力手段と、該出力手段で出力された回数データを蓄積しつつ識別コードと関連付けして保存可能な外部サーバ」に相当する構成を実質的に具備する。
（６）「カードユニット３は、挿入された会員カードが利用可であった場合に、会員ＩＤとユニットＩＤとを含む受付通知を会員管理コンピュータ１２０に通知し、受付中の会員カードの返却時には会員ＩＤとユニットＩＤを含む返却通知を会員管理コンピュータ１２０に通知することにより、会員ＩＤで特定される遊技者のユニットＩＤで特定されるパチンコ機での遊技の開始と終了を会員管理コンピュータ１２０において判別可能とし、
　遊技履歴カウンタは、会員カードが受け付けられることでリセット状態から各データを計数するとともに会員カードが返却された際にリセットされ、」について
　引用発明において、カードユニット３に会員カードが挿入されると読み込まれた会員ＩＤを含む受付通知が会員管理コンピュータ１２０に通知されるということは、「カードリーダ又はカードリーダライタに携帯用記憶手段が挿入されたことを条件として、携帯用記憶手段から読み込まれた識別コードを外部サーバに出力する」といいかえることができる。
　また、遊技履歴カウンタは、会員カードが受け付けられることでリセット状態から各データを計数するものであるから、引用発明は「遊技内容入力手段による遊技経過情報の入力を開始」するものということができる。更に遊技履歴カウンタは、会員カードが返却された際にリセットされるものであり、会員管理コンピュータ１２０は返却通知を受けて特定の遊技者の遊技終了を判別するものであるから、引用発明は「カードリーダ又はカードリーダライタから携帯用記憶手段が抜き取られたことを条件として、外部サーバによる回数データの蓄積が終了する」ものといえる。
　そうすると、引用発明は、本願補正発明の「前記カードリーダ又はカードリーダライタに前記携帯用記憶手段が挿入されたことを条件として、当該携帯用記憶手段から読み込まれた識別コードを前記外部サーバに出力するとともに、前記遊技内容入力手段による遊技経過情報の入力を開始し、当該カードリーダ又はカードリーダライタから前記携帯用記憶手段が抜き取られたことを条件として、前記外部サーバによる回数データ又は当該回数データに関わる履歴データの蓄積が終了するよう構成され、」に相当する構成を実質的に具備する。
（７）「遊技者により遊技情報の閲覧が要求されることにより指定された遊技履歴を表示部３１２にて閲覧できるようになっており、カードユニット３は、ハブ８’並びに通信ケーブル８、ルータ５を介してインターネット（コンピュータネットワーク）に接続されている、」について
　引用発明においては、会員管理コンピュータ１２０に保存された遊技履歴は表示部３１２で閲覧可能であるものの、外部からアクセス可能であるか不明である。
　そうすると、遊技場の外部からアクセス可能であるか否かは別にして、引用発明と本願補正発明は「外部サーバで保存された情報は、遊技者がアクセス可能とされた」点においては共通している。
　
　そうすると、両者は、
　「図柄を変動表示させる図柄表示手段を具備し当該図柄表示手段で所定の図柄が停止表示されると大当たり状態が発生する遊技機の近傍に別個配設された遊技情報収集装置であって、
　前記遊技機における遊技内容に関する遊技経過情報を継続的に逐次入力し得る遊技内容入力手段と、
　該遊技内容入力手段で入力された遊技経過情報を、大当たり発生回数、図柄の変動表示回数などの回数データに変換する変換手段と、
　カード形態の携帯用記憶手段を挿入可能とされ、その挿入された携帯用記憶手段に記憶された遊技者を特定し得る識別コードを読み込み可能なカードリーダ又はカードリーダライタと、
　前記変換手段で変換された回数データ及び前記カードリーダ又はカードリーダライタで読み込まれた識別コードを外部に出力する出力手段と、
　該出力手段で出力された回数データを蓄積しつつ識別コードと関連付けして保存可能な外部サーバと、
を具備し、前記カードリーダ又はカードリーダライタに前記携帯用記憶手段が挿入されたことを条件として、当該携帯用記憶手段から読み込まれた識別コードを前記外部サーバに出力するとともに、前記遊技内容入力手段による遊技経過情報の入力を開始し、当該カードリーダ又はカードリーダライタから前記携帯用記憶手段が抜き取られたことを条件として、前記外部サーバによる回数データ又は当該回数データに関わる履歴データの蓄積が終了するよう構成され、且つ、外部サーバで保存された情報は、遊技者がアクセス可能とされた遊技情報収集装置。」である点で一致し、以下の点で相違する。
　
＜相違点＞
　外部サーバで保存された情報への遊技者のアクセスが、本願補正発明では、電気通信回線を介して遊技場の外部から可能であるのに対して、引用発明ではそのような構成か不明である点。
　
４．判断
　上記相違点について検討する。
　遊技場の情報提供システムの記憶装置に記憶された個人情報を、電気通信回線を介して遊技場の外部からアクセス可能とすることは、特開２００２−１０２５２０号公報、特開平１０−２２５５６８号公報に示されるように従来周知技術である。
　そうすると、引用発明において、上記周知技術を採用して、外部サーバで保存された情報を遊技者が電気通信回線を介して遊技場の外部からアクセス可能とし、相違点に係る本願補正発明の構成とすることは当業者にとって想到容易である。
　そして、本願補正発明の効果は、引用発明、上記周知技術から当業者が予測できる範囲のものである。
　
　したがって、本願補正発明は、引用発明、上記周知技術に基づいて、当業者が容易に発明をすることができたものであるから、特許法２９条２項の規定により特許出願の際独立して特許を受けることができないものである。
　
５．むすび
　以上のとおり、本件補正は、上記改正前の特許法１７条の２第５項で準用する同法１２６条第５項の規定に違反するものであり、同法１５９条第１項で準用する同法５３条第１項の規定により却下されるべきものである。
　
（予備的検討）
　上記検討において、本願補正発明の「当該回数データに関わる履歴データ」については、「回数データ」と構成として選択的なものであるため、検討を行っていない。しかし、仮に「当該回数データに関わる履歴データ」が構成として必須のものであるとした場合について以下に検討する。
　「履歴データ」についてはその技術的意義が必ずしも明確ではないが、本願当初明細書の段落【００３１】には、「履歴データ（大当たりまでに何回図柄が変動したのかを示す履歴）」と記載されているので、少なくとも「大当たりまでに何回図柄が変動したのかを示す履歴」（以下、「大当たり間変動回数」という。）を含むものである。
　「大当たり間変動回数」は、遊技状況を示すものとして、きわめてよく知られたものであり（引用文献（段落【００５５】）にも記載がある）、これを遊技者の遊技情報として採用することは何等技術的困難性はなく、想到容易である。
　
第３．本願発明
１．本願発明の認定
　平成２１年１２月１０日付けの手続補正は上記のとおり却下されたので、本願の請求項１に係る発明（以下、「本願発明」という。）は、平成２１年８月２５日付けの手続補正書の特許請求の範囲の請求項１に記載された事項により特定されるものであり、前記第２の１．「（補正前）」において記載したとおりである。　
　
２．進歩性の判断
（１）引用文献
　拒絶の理由に引用された引用文献及びその記載事項は、前記第２の２．に記載したとおりである。　
　
（２）対比・判断
　本願発明は、前記第２で検討した本願補正発明から、「前記カードリーダ又はカードリーダライタに前記携帯用記憶手段が挿入されたことを条件として、当該携帯用記憶手段から読み込まれた識別コードを前記外部サーバに出力するとともに、前記遊技内容入力手段による遊技経過情報の入力を開始し、」との構成を省いたものである。
　そうすると、本願発明の構成をすべて含み、さらに他の構成要件を付加したものに相当する本願補正発明が、前記第２の４．に記載したとおり、引用発明、上記周知技術に基づいて当業者が容易に発明をすることができたものであるから、本願発明も同様の理由により、引用発明に基づいて当業者が容易に発明をすることができたものである。　
　
第４．むすび
　以上のとおり、本願発明は、引用発明及び上記周知技術に基づいて、当業者が容易に発明をすることができたものであるから、特許法２９条２項の規定により特許を受けることができない。
　したがって、本願は、他の請求項について検討するまでもなく、拒絶すべきものである。
　よって、結論のとおり審決する。